(57)【要約】【課題】同時両面画像形成装置において、転写時の電圧印加により放電跡を生じて記録媒体に異常画像を発生することを防止する。【解決手段】一次像担持体２０で担持する第１の画像を一次転写手段２６で二次像担持体３０に転写してから、一次像担持体で第２の画像を担持し、そののち一次像担持体と二次像担持体との間を通して記録媒体を搬送し、その記録媒体の片面に一次転写手段で第２の画像を転写する一方、該記録媒体の他面に二次転写手段３６で第１の画像を転写し、記録媒体の表裏両面にほぼ同時に画像を形成する。そのような同時両面画像形成装置において、一次転写手段２６を、一次像担持体上の第１の画像を二次像担持体上に転写する担持体転写手段４０と、一次像担持体上の第２の画像を記録媒体に転写する媒体転写手段３１とで構成する。【選択図】　　　　図１
2004138862.tif 000002
【特許請求の範囲】
【請求項１】
一次像担持体で担持する第１の画像を一次転写手段で二次像担持体に転写してから、前記一次像担持体で第２の画像を担持し、そののち前記一次像担持体と前記二次像担持体との間を通して記録媒体を搬送し、その記録媒体の片面に前記一次転写手段で第２の画像を転写する一方、該記録媒体の他面に二次転写手段で第１の画像を転写し、記録媒体の表裏両面にほぼ同時に画像を形成する同時両面画像形成装置において、
前記一次転写手段を、前記一次像担持体上の第１の画像を前記二次像担持体上に転写する担持体転写手段と、前記一次像担持体上の第２の画像を記録媒体に転写する媒体転写手段とで構成することを特徴とする、同時両面画像形成装置。
【請求項２】
前記一次像担持体をエンドレスベルト状として複数の一次ローラに掛け回すとともに、前記二次像担持体をエンドレスベルト状として複数の二次ローラに掛け回し、前記一次像担持体と前記二次像担持体を挟んで前記一次ローラの１つに前記二次ローラの１つを押し当てて転写ニップを形成し、その転写ニップを形成する二次ローラを前記媒体転写手段とすることを特徴とする、請求項１に記載の同時両面画像形成装置。
【請求項３】
前記媒体転写手段として、導電性ゴムローラを用いることを特徴とする、請求項２に記載の同時両面画像形成装置。
【請求項４】
前記一次像担持体で担持する第１の画像を前記担持体転写手段で前記二次像担持体に転写するとき、前記媒体転写手段をアースすることを特徴とする、請求項２または３に記載の同時両面画像形成装置。
【請求項５】
記録媒体搬送方向における前記転写ニップの下流位置に前記担持体転写手段を配置することを特徴とする、請求項２に記載の同時両面画像形成装置。
【請求項６】
前記担持体転写手段として、金属ローラを用いることを特徴とする、請求項５に記載の同時両面画像形成装置。
【請求項７】
前記記録媒体搬送方向における前記転写ニップの上流位置に、記録媒体を前記一次像担持体に密着する入口ガイド部材を設けることを特徴とする、請求項１または２に記載の同時両面画像形成装置。
【請求項８】
前記二次像担持体を介して前記二次転写手段と対向して対向電極をアースして備えることを特徴とする、請求項１または２に記載の同時両面画像形成装置。
【請求項９】
前記担持体転写手段を前記二次像担持体を介して前記二次転写手段と対向して備え、その二次転写手段に電圧を印加して前記二次像担持体上の第１の画像を記録媒体に転写するとき、前記担持体転写手段をアースすることを特徴とする、請求項１または２に記載の同時両面画像形成装置。
【請求項１０】
前記一次像担持体上の画像を前記媒体転写手段で記録媒体に転写して記録媒体の片面にのみ画像を形成するとき、前記担持体転写手段にも電圧を印加することを特徴とする、請求項１に記載の同時両面画像形成装置。
【請求項１１】
前記媒体転写手段と前記担持体転写手段に同極性の電圧を印加することを特徴とする、請求項１０に記載の同時両面画像形成装置。
【請求項１２】
前記二次像担持体に沿って記録媒体を搬送している間のみ、前記担持体転写手段に電圧を印加することを特徴とする、請求項１０または１１に記載の同時両面画像形成装置。
【発明の詳細な説明】
【０００１】
【発明の属する技術分野】
この発明は、例えば複写機、プリンタ、ファクシミリ、またはそれらの複合機などの画像形成装置に関する。特にそのうち、帯電・書込み・現像・転写・クリーニングなどの電子写真プロセスを繰り返して、用紙・ＯＨＰフィルム等の記録媒体に画像を形成する電子写真式画像形成装置に関する。さらに詳しくは、記録媒体の表裏両面に画像を形成する両面画像形成装置に関する。
【０００２】
【従来の技術】
従来、この種の両面画像形成装置の中には、例えば図４に示すように、記録媒体の表裏両面にほぼ同時に画像を形成する同時両面画像形成装置がある。図示同時両面画像形成装置では、複数の作像装置１のそれぞれで、帯電・書込み・現像・転写・クリーニングなどの電子写真プロセスを繰り返して作像担持体２上に個別に単色トナー画像を形成する。
【０００３】
そして、それらの作像担持体２上の各単色トナー画像をそれぞれ順次転写してエンドレスベルト状の一次像担持体３上に第１の画像（合成フルカラートナー画像）を形成し、その一次像担持体３で担持する第１の画像を一次転写手段４でエンドレスベルト状の二次像担持体５に転写する。
【０００４】
それから、再び複数の作像装置１のそれぞれで作像担持体２上に個別に別の単色画像を形成し、それらの各単色画像をそれぞれ順次転写して一次像担持体３上に第２の画像（合成フルカラートナー画像）を形成し、一次像担持体３で第２の画像を担持する。
【０００５】
そののち、転写ニップＮに矢印ｙ方向から記録媒体を挿入して一次像担持体３と二次像担持体５との間を通して搬送し、その記録媒体の片面に一次転写手段４で第２の画像を転写する一方、該記録媒体の他面に二次転写手段６で第１の画像を転写する。
【０００６】
ところで、このような同時両面画像形成装置では、図５に示すように、記録媒体７の片面に一次転写手段４で第２の画像を転写するとき、転写ニップｎ間に侵入する記録媒体７と一次像担持体３との間のギャップＧで放電を生じ、トナーの極性が不安定となって一次像担持体３および記録媒体７に放電跡を生じ、記録媒体７に異常画像を発生する問題があった。
【０００７】
そのような異常画像の発生を防止するためには、図６に示すように、転写ニップｎの手前にローラ状の入口ガイド部材８を設け、その入口ガイド部材８で一次像担持体３に記録媒体７を密着して記録媒体７と一次像担持体３との間のギャップＧをなくし、そののち一次転写手段４に電圧を印加するようにするとよい。図４ないし図７で、符号９は、一次像担持体３の内面に接触する、樹脂製等の裏当て材である。
【０００８】
【発明が解決しようとする課題】
しかしながら、一次像担持体３で担持する第１の画像を一次転写手段４で二次像担持体５に転写するときも、同様に、一次転写手段４に電圧を印加すると、図７に示すように転写ニップｎの手前で放電を生じて一次像担持体３および二次像担持体５に放電跡を発生し、やはり記録媒体７に異常画像を発生する問題があった。
【０００９】
そこで、この発明の第１の目的は、同時両面画像形成装置において、転写時の電圧印加により放電跡を生じて記録媒体に異常画像を発生することを防止することにある。
【００１０】
この発明の第２の目的は、大型化することなく、また部品を共通化して部品点数を少なくすることにある。
【００１１】
この発明の第３の目的は、転写ニップを有効に形成可能とすることにある。
【００１２】
この発明の第４の目的は、転写時の電圧印加による放電跡を一層生じないようにして記録媒体に異常画像が発生することをさらに有効に防止することにある。
【００１３】
この発明の第５の目的は、一次像担持体上の画像を二次像担持体上に正常に転写することにある。
【００１４】
この発明の第６の目的は、一次像担持体上の画像を記録媒体に正常に転写することにある。
【００１５】
この発明の第７の目的は、二次像担持体上の第１の画像を記録媒体の他面に二次転写手段で正常に転写することにある。
【００１６】
【課題を解決するための手段】
そのため、請求項１に記載の発明は、上述した第１の目的を達成すべく、一次像担持体で担持する第１の画像を一次転写手段で二次像担持体に転写してから、一次像担持体で第２の画像を担持し、そののち一次像担持体と二次像担持体との間を通して記録媒体を搬送し、その記録媒体の片面に一次転写手段で第２の画像を転写する一方、該記録媒体の他面に二次転写手段で第１の画像を転写し、記録媒体の表裏両面にほぼ同時に画像を形成する同時両面画像形成装置において、
一次転写手段を、一次像担持体上の第１の画像を二次像担持体上に転写する担持体転写手段と、一次像担持体上の第２の画像を記録媒体に転写する媒体転写手段とで構成する、ことを特徴とする。
【００１７】
請求項２に記載の発明は、上述した第２の目的を達成すべく、請求項１に記載の同時両面画像形成装置において、一次像担持体をエンドレスベルト状として複数の一次ローラに掛け回すとともに、二次像担持体をエンドレスベルト状として複数の二次ローラに掛け回し、一次像担持体と二次像担持体を挟んで一次ローラの１つに二次ローラの１つを押し当てて転写ニップを形成し、その転写ニップを形成する二次ローラを媒体転写手段とする、ことを特徴とする。
【００１８】
請求項３に記載の発明は、上述した第３の目的を達成すべく、請求項２に記載の同時両面画像形成装置において、媒体転写手段として、導電性ゴムローラを用いる、ことを特徴とする。
【００１９】
請求項４に記載の発明は、上述した第４の目的を達成すべく、請求項２または３に記載の同時両面画像形成装置において、一次像担持体で担持する第１の画像を担持体転写手段で二次像担持体に転写するとき、媒体転写手段をアースする、ことを特徴とする。
【００２０】
請求項５に記載の発明は、同じく上述した第４の目的を達成すべく、請求項２に記載の同時両面画像形成装置において、記録媒体搬送方向における転写ニップの下流位置に担持体転写手段を配置する、ことを特徴とする。
【００２１】
請求項６に記載の発明は、上述した第５の目的を達成すべく、請求項５に記載の同時両面画像形成装置において、担持体転写手段として、金属ローラを用いる、ことを特徴とする。
【００２２】
請求項７に記載の発明は、上述した第６の目的を達成すべく、請求項１または２に記載の同時両面画像形成装置において、記録媒体搬送方向における転写ニップの上流位置に、記録媒体を一次像担持体に密着する入口ガイド部材を設ける、ことを特徴とする。
【００２３】
請求項８に記載の発明は、上述した第７の目的を達成すべく、請求項１または２に記載の同時両面画像形成装置において、二次像担持体を介して二次転写手段と対向して対向電極をアースして備える、ことを特徴とする。
【００２４】
請求項９に記載の発明は、上述した第２の目的を達成すべく、請求項１または２に記載の同時両面画像形成装置において、担持体転写手段を二次像担持体を介して二次転写手段と対向して備え、その二次転写手段に電圧を印加して二次像担持体上の第１の画像を記録媒体に転写するとき、担持体転写手段をアースする、ことを特徴とする。
【００２５】
請求項１０に記載の発明は、上述した第６の目的を達成すべく、請求項１に記載の同時両面画像形成装置において、一次像担持体上の画像を媒体転写手段で記録媒体に転写して記録媒体の片面にのみ画像を形成するとき、担持体転写手段にも電圧を印加する、ことを特徴とする。
【００２６】
請求項１１に記載の発明は、同じく上述した第６の目的を達成すべく、請求項１０に記載の同時両面画像形成装置において、媒体転写手段と担持体転写手段に同極性の電圧を印加する、ことを特徴とする。
【００２７】
請求項１２に記載の発明は、同じく上述した第６の目的を達成すべく、請求項１０または１１に記載の同時両面画像形成装置において、二次像担持体に沿って記録媒体を搬送している間のみ、担持体転写手段に電圧を印加する、ことを特徴とする。
【００２８】
【発明の実施の形態】
以下、図面を参照しつつ、この発明の実施の形態につき詳細に説明する。
図１には、この発明の一例である同時両面画像形成プリンタの要部概略構成を示す。
【００２９】
図示する同時両面画像形成プリンタは、用紙・ＯＨＰフィルム等の記録媒体の表裏両面にほぼ同時に画像形成を可能とするものであり、画像形成装置本体に、４つの作像装置Ａ・Ｂ・Ｃ・Ｄ、一次像担持装置Ｅ、二次像担持装置Ｆ、詳しくは不図示の媒体搬送装置、まったく不図示の定着装置などを備えている。
【００３０】
４つの作像装置Ａ・Ｂ・Ｃ・Ｄは、それぞれイエロ・マゼンタ・シアン・ブラックの各色トナーを用いて異なる単色画像を形成するものであり、各自に回転可能に支持するドラム状の作像担持体１２をタンデム式に並べて備え、それら各作像担持体１２のまわりに、帯電手段１３、現像手段１４、作像転写手段１５、作像クリーニング手段１６、作像除電手段１７を配置している。そして、それらの作像装置Ａ・Ｂ・Ｃ・Ｄの下には、個々の作像担持体１２上を各別に露光する共通の露光手段１８を設けている。
【００３１】
作像担持体１２は、直径が３０から１００ｍｍ程度のアルミニウム円筒表面に、光導電性物質である有機半導体の層を設けた感光体である。この例では、ドラム状のものを用いたが、ベルト状のものを用いてもよい。
【００３２】
露光手段１８は、公知のレーザ方式で、ＬＤ光源からの光を光学部品で作像担持体１２の表面に向けて照射し、その作像担持体１２の表面を走査してそれに書込みを行うものである。この例では、レーザ方式を用いるが、ＬＥＤアレイと結像部品を用いる露光方式を採用してもよい。
【００３３】
一次像担持装置Ｅは、各作像装置Ａ・Ｂ・Ｃ・Ｄで形成した画像を担持するものであり、エンドレスベルト状の一次像担持体２０を、各作像担持体１２に接触して、各作像担持体１２とそれに対応する各作像転写手段１５との間を通して４つの一次ローラ２１・２２・２３・２４に掛け回し、まわりに一次クリーニング手段２５、一次転写手段２６を配置している。
【００３４】
一次像担持体２０は、厚みが５０μｍないし６００μｍの樹脂フィルムまたはゴムを基体としたベルトであり、各作像担持体１２からトナーを転写可能とする抵抗値を有している。
【００３５】
二次像担持装置Ｆは、一次像担持装置Ｅで担持する画像を一次転写して担持するものであり、エンドレスベルト状の二次像担持体３０を４つの二次ローラ３１・３２・３３・３４に掛け回し、一次像担持体２０と二次像担持体３０を挟んで複数の一次ローラのうちの１つの一次ローラ２１に複数の二次ローラのうちの１つの二次ローラ３１を押し当てて転写ニップＮを形成し、まわりに二次クリーニング手段３５、二次転写手段３６を配置している。二次転写手段３６には、二次像担持体３０を介して対向して対向電極３７をアースして備える。
【００３６】
二次像担持体３０は、一次像担持体２０と同様に、厚みが５０μｍないし６００μｍの樹脂フィルムまたはゴムを基体にしたベルトであり、一次像担持体２０からトナーを転写可能とする抵抗値を有している。
【００３７】
媒体搬送装置は、転写ニップＮに矢印Ｙ方向から記録媒体を挿入し、一次像担持装置Ｅと二次像担持装置Ｆ間を通過して図中下方から上方へとのびる媒体搬送路を通して搬送するものである。
【００３８】
定着装置は、一次像担持装置Ｅおよび二次像担持装置Ｆから記録媒体に転写した転写画像を定着するものであり、一対の加熱ローラを備えている。
【００３９】
ところで、図示例では、図２に示すように、一次転写手段２６は、一次像担持体２０上の第１の画像を二次像担持体３０上に転写する担持体転写手段４０と、一次像担持体２０上の第２の画像を記録媒体に転写する媒体転写手段とで構成する。担持体転写手段４０としては、金属ローラを用いる。媒体転写手段としては、図示例では転写ニップＮを形成する二次ローラ３１を兼用し、導電性ゴムローラを用いる。
【００４０】
また、記録媒体搬送方向Ｙにおける転写ニップＮの上流位置に、記録媒体を一次像担持体２０に密着するローラ状の入口ガイド部材２７を設ける。入口ガイド部材２７には、一次像担持体２０を介して対向して裏当て材２８を設ける。裏当て材２８は、樹脂等を用いてつくった細長な板材で、幅方向に湾曲し、一次像担持体２０の内面に接触して備える。
【００４１】
そして、この同時両面画像形成プリンタで、記録媒体の表裏両面にカラー画像を形成するときは、不図示のホストからのプリント信号に基づき、作像担持体１２、一次ローラ２１・２２・２３・２４の１つ、二次ローラ３１・３２・３３・３４の１つなどをタイミングを取って回転する。
【００４２】
各作像装置Ａ・Ｂ・Ｃ・Ｄでは、個々の作像担持体１２の図中時計まわりの回転にともない、それぞれ各帯電手段１３で表面を一様に帯電し、共通の露光手段１８からの個別の書込み光で書込みを行って色別の潜像を形成し、各現像手段１４で各色トナーを付着して個々の作像担持体１２上にそれぞれ色別のトナー画像を形成する。図示例では、このとき作像担持体１２上のトナーの極性は、マイナスとする。
【００４３】
一次像担持装置Ｅでは、一次ローラ２１・２２・２３・２４の１つのローラを回転するとともに他の３つのローラを従動回転し、一次像担持体２０を作像担持体１２に同期して図中反時計まわりに回転搬送し、その一次像担持体２０上に、各作像転写手段１５でプラスの電荷を与えてそれぞれ作像担持体１２上の画像を順次転写し、４色重ね合わせた第１の画像（合成フルカラー画像）を形成する。
【００４４】
画像転写後、各作像装置Ａ・Ｂ・Ｃ・Ｄの作像担持体１２は、それぞれ残留トナーを作像クリーニング手段１６で除去し、作像除電手段１７で除電する。その後、再び各帯電手段１３で帯電して露光手段１８で書込みを行い、各現像手段１４で現像して個々の作像担持体１２上にそれぞれ再度色別のトナー画像を形成する。
【００４５】
二次像担持装置Ｆでは、二次ローラ３１・３２・３３・３４の１つのローラを回転するとともに他の３つのローラを従動回転し、二次像担持体３０を一次像担持体２０に同期して図中時計まわりに回転搬送し、その二次像担持体３０上に、担持体転写手段４０に＋３０μＡの電流を流してプラスの電荷を与えて一次像担持体２０上の画像を転写する。このとき、二次クリーニング手段３５は、退避位置にある。
【００４６】
このようにすると、媒体転写手段３１と別個に担持体転写手段４０を適正位置に配置し、一次像担持体２０上の第１の画像を二次像担持体３０上に転写するとき、転写時の電圧印加により放電跡を生じて記録媒体に異常画像が発生することを防止することができる。
【００４７】
なお、図示例では、一次像担持体２０で担持する第１の画像を担持体転写手段４０で二次像担持体３０に転写するとき、図２に示すように媒体転写手段３１をアースする。すると、転写ニップＮの上流位置での電界をさらに少なくし、転写時の電圧印加による放電跡を一層生じないようにして記録媒体に異常画像を発生することを防止することができる。
【００４８】
画像転写後、一次像担持装置Ｅの一次像担持体２０は、残留トナーを一次クリーニング手段２５で除去する。その後、再びその一次像担持体２０上に各作像転写手段１５でそれぞれ作像担持体１２上の画像を順次転写し、４色重ね合わせた第２の画像（合成フルカラー画像）を形成する。
【００４９】
画像転写後、各作像装置Ａ・Ｂ・Ｃ・Ｄの作像担持体１２は、それぞれ残留トナーを作像クリーニング手段１６で除去し、作像除電手段１７で除電して次の作像サイクルに備える。
【００５０】
一方、媒体搬送装置では、記録媒体を搬送して先端をレジストローラ間に突き当てて止め、上述した第１の画像および第２の画像にタイミングを合わせてレジストローラを回転し、記録媒体を入口ガイド部材２７で一次像担持体２０に密着し、一次像担持体２０と二次像担持体３０間の転写ニップＮに送り込む。
【００５１】
そして、まず記録媒体の表面に媒体転写手段３１に電圧を印加してプラスの電荷を与え、一次像担持体２０上の第２の画像を転写し、次いで記録媒体を若干上方へと搬送したところで裏面に二次転写手段３６に電圧を印加してプラスの電荷を与え、二次像担持体３０上の第１の画像を転写する。その後、表裏両面に画像転写後の記録媒体を定着装置へと導き、一対の加熱ローラで熱と圧力とを加えて両面の転写画像を定着し、画像形成装置本体外に排出し、排出スタック装置上に図示例では表面を下にしてフェイスダウンでスタックする。
【００５２】
よって、第２頁目を第１の画像として先に形成し、次いで第１頁目を第２の画像として後に形成し、続けて同様に後の頁を先に形成して記録媒体の裏面側に転写し、先の頁を後に形成して表面側に転写し、フェイスダウンで出力するようにすれば、排出スタック装置上で記録媒体を頁順に揃えることができる。
【００５３】
このとき、公知の画像処理技術を用いて、一次像担持体２０上の第２の画像は、作像担持体１２上では正像とし、二次像担持体３０上の第１の画像は、作像担持体１２上では逆像（鏡像）とする必要がある。
【００５４】
画像転写後、一次像担持装置Ｅの一次像担持体２０は、残留トナーを一次クリーニング手段２５で除去する。二次像担持装置Ｆの二次像担持体３０は、二次クリーニング手段３５をクリーニング位置とし、その二次クリーニング手段３５で残留トナーを除去し、それぞれ次の画像担持に備える。
【００５５】
この同時両面画像形成プリンタで、記録媒体の片面にフルカラー画像を形成するときは、作像装置Ａ・Ｂ・Ｃ・Ｄの各作像担持体１２上に形成した画像を一次像担持装置Ｅの一次像担持体２０に転写して後、その画像を二次像担持装置Ｆの二次像担持体３０に転写することなく、媒体転写手段３１に電圧を印加して＋３０μＡの電流を流し、プラスの電荷を与えて、媒体搬送装置で搬送する記録媒体の片面に一次像担持体２０上の画像を直接転写するようにする。そして、定着装置で転写画像を定着し、排出スタック装置にフェイスダウンで頁順に揃えて排出する。
【００５６】
なお、このように一次像担持体２０上の画像を媒体転写手段３１で記録媒体に転写して記録媒体の片面にのみ画像を形成するとき、二次像担持体３０に沿って記録媒体を搬送している間のみ、担持体転写手段４０にも＋１０μＡの電流を流すように媒体転写手段３１と同極性の電圧を印加するとよい。記録媒体が二次像担持体３０から離れるとき、担持体転写手段４０への電圧印加をオフする。
【００５７】
このようにすると、二次像担持体３０に確実に密着して、下から上へと搬送する記録媒体を保持し、記録媒体を安定して搬送し、画像に影響を与えずに、一次像担持体２０上の画像を媒体転写手段３１で記録媒体に正常に転写することができる。
【００５８】
また、図示プリンタで、記録媒体に二色画像やモノクロ画像を形成するときは、４つの作像装置Ａ・Ｂ・Ｃ・Ｄのうちの対応する色の作像装置を用いて画像を形成し、その画像を一次像担持装置Ｅの一次像担持体２０や二次像担持装置Ｆの二次像担持体３０を介して記録媒体に転写する。
【００５９】
さて、上述した例では、転写ニップＮを形成する二次ローラ３１を媒体転写手段とするとともに、記録媒体搬送方向Ｙにおける転写ニップＮの下流位置に担持体転写手段４０を配置し、さらにその下流位置に二次像担持体３０を介して二次転写手段３６と対向して対向電極３７をアースして備えた。
【００６０】
しかし、例えば図３に示すように、対向電極３７に代えて担持体転写手段４０を二次像担持体３０を介して二次転写手段３０と対向して備え、一次像担持体２０上の第１の画像を二次像担持体３０上に転写するとき、二次転写手段３６への電圧印加は停止したままでその担持体転写手段４０に電圧を印加し、二次像担持体３０上の第１の画像を記録媒体に転写するときは、二次転写手段３６に電圧を印加して担持体転写手段４０をアースするようにしてもよい。
【００６１】
【発明の効果】
以上説明したとおり、請求項１に記載の発明によれば、一次転写手段を、一次像担持体上の第１の画像を二次像担持体上に転写する担持体転写手段と、一次像担持体上の第２の画像を記録媒体に転写する媒体転写手段とで構成するので、媒体転写手段と別個に担持体転写手段を適正位置に配置し、一次像担持体上の第１の画像を二次像担持体上に転写するとき、転写時の電圧印加により放電跡を生じて記録媒体に異常画像を発生することを防止することができる。
【００６２】
請求項２に記載の発明によれば、一次像担持体をエンドレスベルト状として複数の一次ローラに掛け回すとともに、二次像担持体をエンドレスベルト状として複数の二次ローラに掛け回し、一次像担持体と二次像担持体を挟んで一次ローラの１つに二次ローラの１つを押し当てて転写ニップを形成するので、大型化することなく、また転写ニップを形成する二次ローラを媒体転写手段とするので、部品を共通化して部品点数を少なくすることができる。
【００６３】
請求項３に記載の発明によれば、媒体転写手段である二次ローラとして、導電性ゴムローラを用いるので、一次ローラとの間で転写ニップを形成することができる。
【００６４】
請求項４に記載の発明によれば、一次像担持体で担持する第１の画像を担持体転写手段で二次像担持体に転写するとき、媒体転写手段をアースするので、転写ニップの上流位置での電界をさらに減少し、転写時の電圧印加による放電跡を一層生じないようにして記録媒体に異常画像が発生することをさらに有効に防止することができる。
【００６５】
請求項５に記載の発明によれば、記録媒体搬送方向における転写ニップの下流位置に担持体転写手段を配置するので、同様に転写ニップの上流位置での電界をなくし、転写時の電圧印加による放電跡を一層生じないようにして記録媒体に異常画像を発生することを防止することができる。
【００６６】
請求項６に記載の発明によれば、担持体転写手段として、金属ローラを用いるので、一次像担持体上の画像を二次像担持体上に正常に転写することができる。
【００６７】
請求項７に記載の発明によれば、記録媒体搬送方向における転写ニップの上流位置に、記録媒体を一次像担持体に密着する入口ガイド部材を設けるので、一次像担持体と記録媒体とのギャップをなくして一次像担持体上の画像を記録媒体に正常に転写することができる。
【００６８】
請求項８に記載の発明によれば、二次像担持体を介して二次転写手段と対向して対向電極をアースして備えるので、二次像担持体上の第１の画像を記録媒体の他面に二次転写手段で正常に転写することができる。
【００６９】
請求項９に記載の発明によれば、担持体転写手段を二次像担持体を介して二次転写手段と対向して備え、その二次転写手段に電圧を印加して二次像担持体上の第１の画像を記録媒体に転写するとき、担持体転写手段をアースするので、別途二次転写手段の対向電極を設置することなく担持体転写手段で兼用し、したがって部品点数を増加してコストアップとなることなく、二次像担持体上の第１の画像を記録媒体に正常に転写することができる。
【００７０】
請求項１０に記載の発明によれば、一次像担持体上の画像を媒体転写手段で記録媒体に転写して記録媒体の片面にのみ画像を形成するとき、担持体転写手段にも電圧を印加するので、記録媒体を二次像担持体に密着して安定して搬送し、一次像担持体上の画像を媒体転写手段で記録媒体に正常に転写することができる。
【００７１】
請求項１１に記載の発明によれば、媒体転写手段と担持体転写手段に同極性の電圧を印加するので、一次像担持体上の画像を記録媒体に転写するとき、チリなどの異常画像を発生することなく、画像に影響を与えず、正常に転写することができる。
【００７２】
請求項１２に記載の発明によれば、二次像担持体に沿って記録媒体を搬送している間のみ、担持体転写手段に電圧を印加するので、記録媒体を二次像担持体に確実に密着するとともに、不必要な電圧印加を防止することができる。
【図面の簡単な説明】
【図１】この発明の一例である同時両面画像形成プリンタの要部概略構成図である。
【図２】その部分拡大図である。
【図３】他例の部分拡大図である。
【図４】従来の同時両面画像形成プリンタの要部概略構成図である。
【図５】その記録媒体への画像転写時における部分拡大図である。
【図６】その問題点を改良した従来の同時両面画像形成プリンタの部分拡大図である。
【図７】その一次像担持体上の画像を二次像担持体上に転写する画像転写時における部分拡大図である。
【符号の説明】
Ａ・Ｂ・Ｃ・Ｄ　　作像装置
Ｅ　　　一次像担持装置
Ｆ　　　二次像担持装置
１２　　作像担持体
２０　　一次像担持体
２１・２２・２３・２４　　一次ローラ
２６　　一次転写手段
２７　　入口ガイド部材
２８　　裏当て材
３０　　二次像担持体
３１　　二次ローラ（媒体転写手段）
３２・３３・３４　　二次ローラ
３６　　二次転写手段
３７　　対向電極
４０　　担持体転写手段
Ｎ　　　転写ニップ
Ｙ　　　記録媒体搬送方向
【図１】
2004138862.tif 000003
【図２】
2004138862.tif 000004
【図３】
2004138862.tif 000005
【図４】
2004138862.tif 000006
【図５】
2004138862.tif 000007
【図６】
2004138862.tif 000008
【図７】
2004138862.tif 000009